(57)【要約】【課題】安価に製造でき且つ高い防水性能を長期にわたって良好に維持できる照明器具を提供することを課題とする。【解決手段】実施形態に係る照明器具は、発光素子を備えた器具本体と、この器具本体の下端に取り付けられた化粧枠と、を有する。化粧枠は、器具本体の下端に当接する環状の当接縁部と、この当接縁部の内側に設けられた環状の排水溝と、この排水溝に流入した水を当該化粧枠の外部へ排出するための水抜き孔と、を有する。【選択図】      図２
2014211985.tif 000002
【特許請求の範囲】
【請求項１】
発光素子を備えた器具本体と；
この器具本体の下端に取り付けられた化粧枠と；を有し、
上記化粧枠は、
上記器具本体の下端に当接する環状の当接縁部と；
この当接縁部の内側に設けられた環状の排水溝と；
この排水溝に流入した水を当該化粧枠の外部へ排出するための水抜き孔と；
を有することを特徴とする照明器具。
【請求項２】
上記化粧枠は、当該照明器具を被取付部材に取り付けるための取付部材を固定する固定部を有し、
上記水抜き孔は、上記固定部に設けられていることを特徴とする請求項１に記載の照明器具。
【発明の詳細な説明】
【技術分野】
【０００１】
本発明の実施形態は、例えば、建物の天井や軒先の庇などに埋設するタイプの照明器具に関する。
【背景技術】
【０００２】
例えば、建物の天井に埋設するダウンライトは、天井面に露出する化粧枠と天井の裏側に設置される器具本体とを有する。雨水などの侵入を防止するため、通常、器具本体と化粧枠は、パッキンなどのシール材を介して接合される。
【先行技術文献】
【特許文献】
【０００３】
【特許文献１】特開２０１２−２２６９１３号公報
【発明の概要】
【発明が解決しようとする課題】
【０００４】
しかし、このようなパッキンは比較的高価であり、経時的に劣化し易く、防水性能を長期にわたって良好に維持することが難しい。
【０００５】
よって、安価に製造でき且つ高い防水性能を長期にわたって良好に維持できる照明器具の開発が望まれている。
【課題を解決するための手段】
【０００６】
実施形態に係る照明器具は、発光素子を備えた器具本体と、この器具本体の下端に取り付けられた化粧枠と、を有する。化粧枠は、器具本体の下端に当接する環状の当接縁部と、この当接縁部の内側に設けられた環状の排水溝と、この排水溝に流入した水を当該化粧枠の外部へ排出するための水抜き孔と、を有する。
【発明の効果】
【０００７】
本発明によると、器具本体と化粧枠の当接縁部との間にパッキンを設ける必要がなく、器具本体と化粧枠の当接縁部との間に侵入した水を排水溝および水抜き孔を介して外部へ排出することができる。このように、比較的高価なパッキンを設ける必要がないため、照明器具を安価に製造でき、経時的に劣化するパッキンが無いため、高い防水性能を長期にわたって良好に維持できる。
【図面の簡単な説明】
【０００８】
【図１】図１は、実施形態に係るダウンライトの外観斜視図である。
【図２】図２は、図１のダウンライトをＦ２−Ｆ２に沿って切断した部分拡大断面図である。
【図３】図３は、図１のダウンライトの分解斜視図である。
【図４】図４は、図１のダウンライトの器具本体を背面側から見た外観斜視図である。
【図５】図５は、図４の器具本体をＦ５−Ｆ５に沿って切断した断面図である。
【図６】図６は、図１のダウンライトの化粧枠を側方から見た外観斜視図である。
【図７】図７は、図６の化粧枠を器具本体側から見た外観斜視図である。
【図８】図８は、図６の化粧枠をＦ８−Ｆ８に沿って切断した断面図である。
【図９】図９は、図１のダウンライトの取付バネを示す斜視図である。
【発明を実施するための形態】
【０００９】
以下、図面を参照しながら実施形態について詳細に説明する。  
図１は、実施形態に係る照明器具の一例としてダウンライト１００の外観斜視図を示す。図２は、このダウンライト１００を図１のＦ２−Ｆ２に沿って切断した部分拡大断面図を示す。図３は、図１のダウンライト１００の分解斜視図を示す。このダウンライト１００は、例えば、図示しない天井や軒先の庇（以下、総称して被取付部材とする）に埋め込まれた状態で取り付けられる。
【００１０】
ダウンライト１００は、被取付部材の下面側（下から見た表側）に表面側を露出した状態で配置される化粧枠２、被取付部材の上面側（裏側）に隠れた状態で設置される器具本体１０、および当該ダウンライト１００を被取付部材に取り付けるための３つの取付バネ４（取付部材）を有する。また、このダウンライト１００には、被取付部材の上面側に配置される図示しない点灯回路が接続される。
【００１１】
化粧枠２の外周面２２ａには、３つの取付バネ４をそれぞれ固定するための３つの固定部２１が設けられている。３つの取付バネ４は、ダウンライト１００を被取付部材に取り付けた状態で、被取付部材の上面側に隠れた状態で配置される。なお、本実施形態の化粧枠２は、アルミダイキャスト製であり、外観を良くするための塗装を施してある。
【００１２】
図４は、器具本体１０を背面側（被取付部材の裏面側）から見た斜視図であり、図５は、この器具本体１０を図４のＦ５−Ｆ５に沿って切断した断面図である。器具本体１０は、複数枚の放熱フィン１１ａを外側に備えた概ね有底円筒形の放熱器１１、放熱器１１の内部の底面１１ｂ（図５）に密着して取り付けられた発光モジュール１２、この発光モジュール１２を放熱器１１の底面１１ｂとの間に挟んで放熱器１１の内側面に沿って配置された反射板１３、放熱器１１の下端にある開口部１１ｃを塞ぐ円板状の透明な板ガラス１４、この板ガラス１４を反射板１３の開口部１３ａの縁にあるフランジ部１３ｂに取り付けるためのガラスパッキン１５（図２）、およびこのガラスパッキン１５を下面側から押える円環状のガラス押さえ１６を有する。
【００１３】
図４に示すように、放熱器１１は、底部を貫通したケーブル孔１１ｄを有する。放熱器１１の背面側には、このケーブル孔１１ｄを覆う透明な樹脂製のコネクタカバー１７（図４では図示せず）がネジ１７ａにより取り付けられている。なお、このケーブル孔１１ｄの縁は、背面側に向けて立ち上がった円筒壁部１７ｂを備え、外部からの雨水がケーブル孔１１ｄを介して放熱器１１の内部へ侵入し難くされている。また、ケーブル孔１１ｄの近くには、図１に示すようにコネクタカバー１７の下端を係止して位置決めするための位置決め突起１７ｃが突設されている。
【００１４】
ケーブル孔１７ａには、図示しない点灯回路から引き出された図示しないケーブルが挿通され、このケーブルが発光モジュール１２に接続される。放熱器１１の背面には、このケーブルを逃がすための凹み１７ｄが設けられ、コネクタカバー１７を取り付けた状態で、ケーブルを外部へ引き出し可能となっている。なお、この凹み１７ｄは、コネクタカバー１７と放熱器１１との間の隙間を介して雨水などが流入した際に、この雨水を排水するための流路としても機能し、放熱器１１の背面には、この凹み１７ｄに向けて緩やかに傾斜した面取り部が設けられている。
【００１５】
発光モジュール１２は、基板１２ａの表面に図示しない少なくとも１つの発光ダイオード（ＬＥＤ）を備えている。この発光モジュール１２は、図示しない複数の押圧バネを用いて放熱器１１の底部の底面１１ｂに押し付けられ、基板１２ａの裏面１２ｂが放熱器１１に密着されている。このため、比較的高温になるＬＥＤからの熱を基板１２ａを介して放熱器１１へ効果的に伝達でき、ＬＥＤの放熱性を高めることができる。
【００１６】
反射板１３は、底部に円形に開口した窓部１３ｃを有する概ね底の無いお椀型の形状を有する。図５に示すように、底部にある窓部１３ｃは、放熱器１１の底面１１ｂに取り付けられた発光モジュール１２の発光部１２ｃを下面側に露出する大きさを有する。反射板１３の下端にある開口部１３ａの縁から外方へ延びたフランジ部１３ｂには、板ガラス１４の周縁部を保持したガラスパッキン１５が取り付けられる。
【００１７】
ガラス押さえ１６は、放熱器１１の下端にある開口部１１ｃの縁に３本のネジ１８（図３）により取り付けられる。このガラス押さえ１６は、板ガラス１４に接触して直接押えるのではなく、ガラスパッキン１５の下面を押さえることで板ガラス１４を放熱器１１の下端へ押さえ付けている。
【００１８】
図２および図３に示すように、化粧枠２は、その内面に沿って、反射鏡１９を備えている。反射鏡１９は、円錐を軸方向の途中で切断したような形状、すなわち円筒を軸方向一端側に向けて収束させたような形状を有する。反射鏡１９の上端開口縁１９ａは、外側に折り返されて、化粧枠２の後述するフランジ部２５ａの縁に嵌合される。
【００１９】
化粧枠２は、その上端にある環状の当接縁部２ａを放熱器１１の環状の下端面１１ｅ（図５）に当接させた状態で、２本のネジ２ｂ（図３に１本のみ図示）を用いて放熱器１１に締結固定される。このとき、化粧枠２の当接縁部２ａから上方に突設された２つの位置決め突起２ｃが、それぞれ、放熱器１１の下端面１１ｅに設けた切欠き部１１ｆに嵌合し、化粧枠２が放熱器１１に対して周方向に位置決めされる。この際、放熱器１１と化粧枠２の当接縁部２ａとの間には、防水のためのパッキン等のシール部材を設けない。なお、化粧枠２の当接縁部２ａの外径は、放熱器１１の下端面１１ｅの外径より僅かに小さくされている。
【００２０】
図６は、化粧枠２を側方から見た概観斜視図であり、図７は、化粧枠２を器具本体１０側から見た外観斜視図である。また、図８は、化粧枠２を図６のＦ８−Ｆ８に沿って切断した断面図である。なお、図９には、取付バネ４の概観斜視図を示す。
【００２１】
化粧枠２は、略円筒形の枠体２２、およびこの枠体２２の下端に一体に連続して外側に広がる略円環状の前面パネル２３を有する。ダウンライト１００を被取付部材に取り付ける際、枠体２２は、３つの取付バネ４とともに被取付部材の図示しない取付孔に挿通される。前面パネル２３の表面は、ダウンライト１００を被取付部材に取り付けた状態で、被取付部材の表面側に露出する。このとき、前面パネル２３の裏面２３ａは、被取付部材の表面に接触する。
【００２２】
枠体２２の外周面２２ａには、上述したように、３つの取付バネ４を固定するための３つの固定部２１が設けられている。３つの固定部２１は、枠体２２の周方向に沿って等間隔で設けられている。また、３つの固定部２１の間には、枠体２２の外周面２２ａと前面パネル２３の裏面２３ａをつなげた３つの連結壁２４が一体に設けられている。さらに、枠体２２の上端にある当接縁部２ａには、放熱器１１を締結固定するためのネジ２ｂを螺合するための２つのネジ孔２２ｂが設けられている。
【００２３】
また、化粧枠２は、枠体２２の上端にある当接縁部２ａの内側に、断面略Ｖ字状の環状の排水溝２５を有する。この排水溝２５は、化粧枠２を成形する際のヒケを防止するための肉抜き部としても機能する。排水溝２５は、上述したネジ孔２２ｂの部位で、後述するフランジ部２５ａと同じ高さの隔壁２２ｃによって分断されている。
【００２４】
当接縁部２ａの内側に離間した排水溝２５の反対側の上端縁部２５ａは、当接縁部２ａより僅かに低くされており、内側に延びたフランジ部２５ａを形成している。このフランジ部２５ａには、上述したように、反射鏡１９の上端が取り付けられる。フランジ部２５ａは、ダウンライト１０を組み立てた状態（図２）で、器具本体１０側のガラス押さえ１６と離間して対向する。
【００２５】
排水溝２５の底部近くには、排水溝２５を枠体２２の外周面２２ａに連絡する３つの水抜き孔２６が枠体２２を貫通して設けられている。本実施形態では、３つの水抜き孔２６は、それぞれ、取付バネ４を固定するための固定部２１に形成した。これにより、化粧枠２を図示しない金型を用いて成形する際に、固定部２１と水抜き孔２６を同時に成形でき、水抜き孔２６の加工を容易にできる。
【００２６】
各固定部２１は、水抜き孔２６を中心にして、その左右に、取付バネ４の基端部を固定するための２つの固定レール２１ａを有する。一方、取付バネ４の基端部は、略直角に上方に折り曲げられた矩形片４ａを一体に備えている。そして、２つの固定レール２１ａは、この矩形片４ａの両側辺をスライド可能に受け入れるように互いに向かい合う溝を有する。つまり、取付バネ４は、固定部２１の上方から矩形片４ａを固定レール２１ａの溝に押し込むことで、化粧枠２の枠体２２に固定される。
【００２７】
枠体２２の外周面２２ａ上であって水抜き孔２６の上端および両側端を囲む位置には、上部バネ押さえ２１ｂが一体に突設されている。また、枠体２２の外周面２２ａ上であって水抜き孔２６の下方に離間した位置には、下部バネ押さえ２１ｃが一体に突設されている。上部バネ押さえ２１ｂおよび下部バネ押さえ２１ｃの端面は、取付バネ４の矩形片４ａの外側表面に接触するように面一に配置されている。
【００２８】
なお、下部バネ押さえ２１ｃの幅は、水抜き孔２６の幅より狭くされており、下部バネ押さえ２１ｃは、上部バネ押さえ２１ｂから下方に離間した位置に設けられている。これにより、水抜き孔２６を介して流出した雨水などが、取付バネ４の矩形片４ａによって遮られることなく、化粧枠２の前面パネル２３の裏面２３ａに向けて流れる流路を確保している。
【００２９】
水抜き孔２６は、上述したように排水溝２５の底部近くに配置されている。本実施形態では、排水溝２５の下端から上方に１ｍｍ離間した位置に３つの水抜き孔２６をそれぞれ形成した。水抜き孔２６の下端辺は排水溝２５の底部に沿って水平に延び、水抜き孔２６の両側辺は固定レール２１ａに沿って垂直に延び、上端辺は上部バネ押さえ２１ｃに沿って水平に延びている。つまり、水抜き孔２６の形状は矩形であり、水が抜け易い形状となっている。
【００３０】
取付バネ４を固定部２１に固定する場合、矩形片４ａの外面が固定部２１の上部バネ押さえ２１ｃに摺接しながら矩形片４ａの両側縁部が固定レール２１ａに押し込まれる。矩形片４ａが固定部２１に取り付けられると、矩形片４ａの略中央を切り欠いて外側に折り曲げて形成されたストッパ片４ｂが変形して上部バネ押さえ２１ｃを乗り越えて元に戻り、上部バネ押さえ２１ｃの上壁に係合する。これにより、取付バネ４の抜けが防止される。なお、このストッパ片４ｂが、図２に示すように変形が元に戻った状態で、水抜き孔２６を塞ぐことのないように、上部バネ押さえ２１ｂおよび下部バネ押さえ２１ｃの突出高さが設定されており、ストッパ片４ｂの折り曲げ角度が設定されている。
【００３１】
上記のように構成されたダウンライト１０を被取付部材に取り付ける場合、３つの取付バネ４を図１の状態から上方に折り曲げて、器具本体１０とともに取付部材の図示しない取付孔に挿通する。そして、３つの取付バネ４の先端が取付孔を通り抜けたところで取付バネ４を離し、３つの取付バネ４の先端の爪状部分４ｃを取付孔の縁に引っ掛ける。この状態でダウンライト１００は被取付部材の取付孔の縁に引っ掛けられて懸垂支持される。
【００３２】
この後、器具本体１０をその背面側から取付孔に押し込み、前面パネル２３の裏面２３ａが被取付部材の上面に接触するまで化粧枠２を上方へ押圧する。このとき、３つの取付バネ４が自身の復元力によって平らな姿勢に戻る方向に広がり、前面パネル２３との間に被取付部材を挟むように被取付部材の上面を押圧する。これにより、ダウンライト１００が被取付部材に取り付けられる。
【００３３】
上述したように被取付部材に取り付けたダウンライト１００は、化粧枠２の前面パネル２３の表面が被取付部材の表面側に露出する以外、被取付部材の裏面側に配置される。このため、例えば、被取付部材が集合住宅の天井である場合、上階で漏水が発生すると、天井裏に水が浸入して、器具本体１０を濡らす可能性がある。また、雨漏りなどにより住宅の構造体を伝って水が天井裏に侵入する場合も考えられる。特に、被取付部材が建物の外部にある軒先の庇などである場合、雨が吹き込んで庇の中に水が浸入する場合も考えられる。
【００３４】
このように被取付部材の裏面側に侵入した水は、例えば、水滴としてダウンライト１００の器具本体１０の背面側に滴り落ちる。器具本体１０の放熱フィン１１ａに滴り落ちた水滴は、放熱フィン１１ａの間を流れて化粧枠２の外周面２２ａを伝って、前面パネル２３の裏面側に溜まる。この際、放熱器１１の下端部の径が化粧枠２の当接縁部２ａの径より僅かに大きくされているため、放熱器１１の下端面１１ｅと化粧枠２の当接縁部２ａとの間の隙間に水が入り難い構造となっている。
【００３５】
また、ダウンライト１００は、ＬＥＤを光源とする発光モジュール１２を備えているため、器具本体１０の放熱器１１は約８０度の高温になる。また、器具本体１０の下端に接触した化粧枠２も約６０度まで加熱される。このため、放熱器１１の放熱フィン１１ａや化粧枠２の外周面２２ａを伝って流れ落ちる水滴は概ね蒸発される。しかし、比較的多量の水滴が器具本体１０に滴り落ちた場合には、放熱器１１から化粧枠２へ流れる間に、放熱器１１の下端面１１ｅと化粧枠２の当接縁部２ａとの間の隙間を介して器具内部に水が浸入する場合がある。
【００３６】
特に、本実施形態のダウンライト１００は、放熱器１１の下端面１１ｅと化粧枠２の当接縁部２ａとの間にパッキンを設けていないため、パッキンを設けた場合と比較して水が入り易くなっている。しかし、この隙間を介して侵入した水は、以下のように、ダウンライト１００の外部へ排出されることになる。
【００３７】
すなわち、本実施形態では、放熱器１１の下端面１１ｅと化粧枠２の当接縁部２ａとの間の隙間を通って侵入した水は、化粧枠２の排水溝２５に流れ落ちる。排水溝２５の底に溜まった水は、化粧枠２から与えられる上述した熱により経時的に蒸発される。しかし、排水溝２５に流入する水の量が比較的多い場合、排水溝２５の底に溜まった水は、３つの水抜き孔２６を介して化粧枠２の外部へ排出されることになる。なお、排水溝２５に溜まった水が蒸発した水蒸気も、水抜き孔２６を介して外部へ排出される。この際、水蒸気の一部が、上述した放熱器１１の下端面１１ｅと化粧枠２の当接縁部２ａとの間の隙間を介して外部へ流れ、水の浸入を抑制する。
【００３８】
水抜き孔２６を介して外部へ流れ出した水は、化粧枠２の枠体２２の外周面２２ａを伝って流れ落ち、前面パネル２３の裏面２３ａに溜まる。この際、水抜き孔２６から出た水は、水抜き孔２６より幅の狭い下部バネ押さえ２１ｃの脇を通って取付バネ４に干渉することなく流れ落ちる。このため、取付バネ４を固定する固定部２１に水抜き孔２６を設けても、雨水などによって取付バネ４が錆びる不具合を生じることはない。
【００３９】
以上のように、本実施形態によると、放熱器１１の下端面１１ｅと化粧枠２の当接縁部２ａとの間にパッキンを設けることなく、器具本体１０に滴り落ちる水を液体のまま或いは水蒸気として外部へ排出することができる。このため、部品点数を削減でき、その結果、ダウンライト１００を安価に製造でき、パッキンの経年劣化が無いため、防水性能を長期にわたって良好に維持できる。
【００４０】
特に、本実施形態では、取付バネ４の固定部２１に水抜き孔２６を設けたため、固定部２１を成形する金型の形状を僅かに変更するだけで、固定部２１の成形と同時に水抜き孔２６を形成できる。この場合、水抜き孔２６の位置で金型に矩形の突起を設けるだけで良い。
【００４１】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００４２】
例えば、上述した実施形態では、化粧枠２の固定部２１に水抜き孔２６を設けた場合について説明したが、これに限らず、固定部２１とは別の部位に水抜き孔２６を設けても良い。この場合、例えば、金型を変更せずに、後加工によって水抜き孔２６を形成すれば良い。
【符号の説明】
【００４３】
２…化粧枠、２ａ…当接縁部、４…取付バネ、４ａ…矩形片、１０…器具本体、１１…放熱器、１１ａ…放熱フィン、１１ｅ…下端面、１２…発光モジュール、１３…反射板、１４…板ガラス、１５…ガラスパッキン、１６…ガラス押さえ、１９…反射鏡、２１…固定部、２２…枠体、２２ａ…外周面、２３…前面パネル、２５…排水水、２６…水抜き孔。
【図１】
2014211985.tif 000003
【図２】
2014211985.tif 000004
【図３】
2014211985.tif 000005
【図４】
2014211985.tif 000006
【図５】
2014211985.tif 000007
【図６】
2014211985.tif 000008
【図７】
2014211985.tif 000009
【図８】
2014211985.tif 000010
【図９】
2014211985.tif 000011